(57)【特許請求の範囲】
【請求項１】
画像信号に重要度の異なる付加情報を電子透かし情報として重畳する付加情報重畳方法において、
前記重要度の異なる付加情報を複数個生成し、
前記複数個の付加情報のそれぞれの電子透かし情報を形成し、
前記複数個の電子透かし情報のそれぞれ毎に分離して、前記複数個の付加情報のそれぞれの重要度に応じて面積が異なり、前記面積分連続した重畳領域を設定するようにし、
前記複数個の電子透かし情報を、対応する前記重畳領域に重畳するように合成し、
合成した前記電子透かし情報を前記画像信号に重畳する際に、いずれの重畳領域においても等しい重畳レベルで重畳することを特徴とする付加情報重畳方法。
【請求項２】
重要度の異なる前記複数個の付加情報のそれぞれの電子透かし情報を、前記画像信号の１フレーム分、あるいは、１フィールド分の画面内に重畳するようにするとともに、重要度の高い付加情報の電子透かし情報を重畳する重畳領域ほど、１フレーム分、あるいは、１フィールド分の各画面内においてその連続する面積が大きくなるように設定することを特徴とする請求項１に記載の付加情報重畳方法。
【請求項３】
重要度の異なる前記複数個の付加情報のそれぞれの電子透かし情報を、前記画像信号の１フレーム〜複数フレーム、あるいは、１フィールド〜複数フィールドを単位重畳領域として重畳するとともに、重要度の高い付加情報の電子透かし情報を重畳する重畳領域ほど、重畳領域を構成する連続するフレーム数、あるいは、連続するフィールド数が多くなるように設定することにより連続する面積が大きくなるようにすることを特徴とする請求項１に記載の付加情報重畳方法。
【請求項４】
前記合成された電子透かし情報を前記画像信号に重畳する際、前記合成された電子透かし情報の重畳レベルを前記画像信号のダイナミックレンジより小さいレベルで重畳することを特徴とする請求項１、請求項２または請求項３に記載の付加情報重畳方法。
【請求項５】
重要度の異なる複数個の付加情報が電子透かし情報として、等しいレベルで重畳されている画像信号から、前記複数個の付加情報のそれぞれを検出する方法であって、
前記複数個の付加情報のそれぞれの電子透かし情報は、重畳領域が分離され、かつ、それぞれの重畳領域の占める連続する面積が、前記付加情報の重要度に応じて設定されており、
前記複数個の付加情報のそれぞれ毎の電子透かし情報の前記重畳領域を特定するようにし、
前記画像信号の特定した前記重畳領域のそれぞれから、重要度の異なる複数個の付加情報を検出することを特徴とする付加情報検出方法。
【請求項６】
重要度の異なる前記複数個の付加情報のそれぞれの電子透かし情報は、前記画像信号の１フレーム分、あるいは、１フィールド分の画面内に重畳するようにされているとともに、前記複数個の付加情報の電子透かし情報の重畳領域のそれぞれは、重要度の高い付加情報の電子透かし情報を重畳する重畳領域ほど、１フレーム分、あるいは、１フィールド分の各画面においてその連続する面積が大きくなるように設定されており、
前記画像信号の１フレーム分、あるいは、１フィールド分の画面毎であって、前記複数個の付加情報のそれぞれの重要度に応じて設定された前記重畳領域毎に、電子透かし情報とされた付加情報を検出するようにすることを特徴とする請求項５に記載の付加情報検出方法。
【請求項７】
重要度の異なる前記複数個の付加情報のそれぞれの前記電子透かし情報は、前記画像信号の１フレーム〜複数フレーム、あるいは、１フィールド〜複数フィールドを単位重畳領域として重畳されているとともに、重要度の高い付加情報の電子透かし情報を重畳する重畳領域ほど、その重畳領域を構成する連続するフレーム数、あるいは、連続するフィールド数が多くなるように設定することにより連続する面積が大きくなるようにされており、
前記複数個の付加情報のそれぞれの重要度に応じてフレーム数、あるいは、フィールド数が設定された前記重畳領域毎に、電子透かし情報とされた付加情報を検出するようにすることを特徴とする請求項５に記載の付加情報検出方法。
【請求項８】
画像信号に重要度の異なる付加情報を電子透かし情報として重畳する付加情報重畳装置において、
前記重要度の異なる付加情報を生成する複数個の付加情報発生手段と、
前記複数個の付加情報発生手段で発生させる前記複数個の付加情報のそれぞれの電子透かし情報を形成する電子透かし情報形成手段と、
前記電子すかし情報形成手段からの前記複数個の電子透かし情報のそれぞれを、画像信号に対して重畳領域が異なるように合成する合成手段と、
前記合成手段での合成タイミングを制御する合成タイミング信号を形成するものであって、前記複数個の電子透かし情報のそれぞれ毎に分離して、前記複数個の付加情報のそれぞれの重要度に応じて面積が異なり、前記面積分連続した前記重畳領域に前記電子透かし情報のそれぞれを前記画像信号に重畳するようにするための合成タイミング信号発生手段と、
合成した前記電子透かし情報を前記画像信号に重畳する際に、いずれの重畳領域においても等しい重畳レベルで重畳するようにする重畳手段と
を備えることを特徴とする付加情報重畳装置。
【請求項９】
前記合成タイミング信号発生手段は、前記複数個の前記電子透かし情報発生手段からの電子透かし情報を、前記画像信号の１フレーム分、あるいは、１フィールド分の画面内に重畳するようにするとともに、重要度の高い付加情報の電子透かし情報を重畳する重畳領域ほど、その連続する面積が大きくなるようにすることを特徴とする請求項８に記載の付加情報重畳装置。
【請求項１０】
前記合成タイミング信号発生手段は、前記複数個の前記電子透かし情報発生手段からの電子透かし情報を、前記画像信号の１フレーム〜複数フレーム、あるいは、１フィールド〜複数フィールドを単位重畳領域として重畳するとともに、重要度の高い付加情報の電子透かし情報を重畳する重畳領域ほど、重畳領域を構成する連続するフレーム数、あるいは、連続するフィールド数が多くなるようにすることにより連続する面積が大きくなるようにすることを特徴とする請求項８に記載の付加情報重畳装置。
【請求項１１】
前記重畳手段は、前記合成された電子透かし情報を前記画像信号に重畳する際、前記合成された電子透かし情報の重畳レベルを前記画像信号のダイナミックレンジより小さいレベルで重畳することを特徴とする請求項８、請求項９または請求項１０に記載の付加情報重畳装置。
【請求項１２】
重要度の異なる複数個の前記付加情報が電子透かし情報として等しいレベルで重畳されている画像信号から、複数個の前記付加情報のそれぞれを検出する付加情報検出装置であって、
複数個の前記付加情報のそれぞれの電子透かし情報は、重畳領域が分離されているとともに、かつ、それぞれの重畳領域の占める連続する面積が、前記付加情報の重要度に応じて設定されており、
複数個の前記付加情報のそれぞれの重要度に応じて設定された前記重畳領域に応じた領域毎に、電子透かし情報とされた付加情報を検出する付加情報検出手段と、
前記付加情報検出手段での電子透かし情報とされた前記付加情報の検出タイミングを制御する検出タイミング信号を形成するものであって、前記付加情報の重要度に応じて設定されている前記重畳領域毎に、前記付加情報を検出するようにするための検出タイミング信号発生手段と
を備えることを特徴とする付加情報検出装置。
【請求項１３】
重要度の異なる複数個の前記付加情報のそれぞれの電子透かし情報は、前記画像信号の１フレーム分、あるいは、１フィールド分の画面内に重畳されているとともに、複数個の前記付加情報の電子透かし情報の重畳領域のそれぞれは、重要度の高い付加情報の電子透かし情報を重畳する重畳領域ほど、１フレーム分、あるいは、１フィールド分の各画面内においての連続する面積が大きくなるようにされており、
前記検出タイミング発生手段は、前記画像信号の１フレーム分、あるいは、１フィールド分の画面毎であって、前記複数の付加情報のそれぞれの重要度に応じて設定された前記重畳領域毎に、電子透かし情報とされた前記付加情報を検出するための前記検出タイミング信号を発生させることを特徴とする請求項１２に記載の付加情報検出装置。
【請求項１４】
重要度の異なる複数個の前記付加情報のそれぞれの前記電子透かし情報は、前記画像信号の１フレーム〜複数フレーム、あるいは、１フィールド〜複数フィールドを単位重畳領域として重畳されているとともに、重要度の高い付加情報の電子透かし情報を重畳する重畳領域ほど、その重畳領域を構成する連続するフレーム数、あるいは、連続するフィールド数が多くなるように設定されることにより連続する面積が大きくなるようにされており、
前記検出タイミング発生手段は、前記複数の付加情報のそれぞれの重要度に応じて、フレーム数、あるいは、フィールド数が設定された前記重畳領域毎に、前記付加情報を検出するようにするための検出タイミング信号を発生させることを特徴とする請求項１２に記載の付加情報検出装置。
【発明の詳細な説明】
【０００１】
【発明の属する技術分野】
この発明は、例えば、複数個の付加情報を電子透かし情報として画像信号に重畳するようにし、この画像信号から、複数個の付加情報のそれぞれを検出するようにする場合の付加情報重畳方法、付加情報検出方法、付加情報重畳装置および付加情報検出装置に関する。
【０００２】
【従来の技術】
近年、インターネット、コンパクトディスク（ＣＤ）、デジタルビデオディスク（ＤＶＤ）などのデジタルコンテンツの普及に伴い、このデジタルコンテンツについての違法な複製による著作権侵害が問題となっている。そこで、この問題に対処するため、デジタルコンテンツに電子透かし処理により複製制御のための付加情報（以下、複製制御情報という。）を重畳し、この複製制御情報を用いて、不正な複製を防止する複製制御方式が考えられている。
【０００３】
電子透かし処理は、画像信号やオーディオ信号に存在する人間の知覚上の重要でない部分、すなわち、音楽や映像に対して冗長でない部分に、雑音として情報を埋め込む処理である。このような電子透かし処理により画像信号やオーディオ信号中に埋め込まれた情報は、その画像信号やオーディオ信号から除去されにくい。一方、画像信号やオーディオ信号についてフィルタリング処理やデータ圧縮処理をした後であっても、それらに埋め込まれた電子透かしの付加情報（電子透かし情報）を画像信号やオーディオ信号中から検出することが可能である。
【０００４】
この電子透かし処理を用いる複製制御方式の場合、埋め込む付加情報により、
▲１▼「複製可能（Ｃｏｐｙ  Ｆｒｅｅ）」
▲２▼「１回複製可能（１世代だけ複製可能）（Ｃｏｐｙ  Ｏｎｃｅ）」
▲３▼「これ以上の複製禁止（Ｎｏ  Ｍｏｒｅ  Ｃｏｐｙ）」
▲４▼「絶対複製禁止（Ｎｅｖｅｒ  Ｃｏｐｙ）」
の４状態を表し、当該電子透かし情報が重畳された画像信号やオーディオ信号の複製世代や複製制限状態を表すようにしている。
【０００５】
▲１▼「複製可能（Ｃｏｐｙ  Ｆｒｅｅ）」は、オーディオ信号や画像信号の自由な複製が可能であることを表す。▲２▼「１回複製可能（１世代だけ複製可能）（Ｃｏｐｙ  Ｏｎｃｅ）」は、１回だけオーディオ信号や画像信号の複製が可能であることを示す。▲３▼「これ以上の複製禁止（Ｎｏ  Ｍｏｒｅ  Ｃｏｐｙ）」は、▲２▼の１回複製可能の状態のオーディオ信号や画像信号から、当該オーディオ信号や画像信号が複製されたものであって、これ以上の複製は禁止であることを示す。▲４▼「絶対複製禁止（Ｎｅｖｅｒ  Ｃｏｐｙ）」は、複製は全く禁止であることを示す。
【０００６】
このように、複製世代や複製制限状態を示す電子透かし情報を、画像信号やオーディオ信号中に埋め込んでおき、画像信号やオーディオ信号が複製するようにされた場合に、つまり、記録装置において、複製しようとしている画像信号やオーディオ信号に埋め込まれている電子透かし情報を検出する。そして、検出した電子透かし情報が示す複製世代や複製制限状態に応じて記録制御を行うことにより、画像信号やオーディオ信号などのコンテンツ情報の不正な複製を確実に防止することができるようにされる。
【０００７】
【発明が解決しようとする課題】
ところが、最近、複製制御情報以外に、例えば、著作権情報などの各種の追加的な付加情報（アディショナルデータ）をも電子透かし情報としてコンテンツ情報に重畳したいとする要求が大きくなってきている。
【０００８】
例えば、アディショナルデータとして、著作権者を特定することが可能な著作権情報を電子透かし情報としてコンテンツ情報に重畳しておけば、これを必要に応じて検出することにより、著作権者を特定することができる。このため、電子透かし情報として著作権情報が重畳されたコンテンツ情報が、仮に不正に複製されても、不正に複製されたコンテンツ情報から、電子透かし情報とされた著作権情報を検出することにより、正当な著作権者を特定し、不正な複製の摘発などに役立てることができる。
【０００９】
このように、アディショナルデータは、複製制御情報のように複製時には常に必要となるなどの重要度の高い情報ではなく、例えば、必要に応じて検出できれば十分な比較的に重要度の低い情報である。
【００１０】
そして、複製制御情報とアディショナルデータのように、重要度の異なる複数の付加情報を電子透かし情報としてコンテンツ情報に重畳した場合には、重要度の高い付加情報の電子透かし情報、例えば複製制御情報の電子透かし情報が検出しにくくなる可能性がある。この場合には、確実かつ迅速な複製制御を行うことができなくなるなどの弊害が生じてしまう。
【００１１】
以上のことにかんがみ、この発明は、重要度の異なる複数個の付加情報を電子透かし情報として画像信号に重畳する場合に、重要度の高い付加情報ほど確実かつ迅速に検出することができるように付加情報を重畳する付加情報重畳方法、付加情報重畳装置、および、この付加情報重畳方法、付加情報重畳装置により画像信号に電子透かし情報として重畳された付加情報を検出する付加情報検出方法、付加情報検出装置を提供することを目的とする。
【００１２】
【課題を解決するための手段】
上記課題を解決するため、請求項１に記載の発明の付加情報重畳方法は、
画像信号に重要度の異なる付加情報を電子透かし情報として重畳する付加情報重畳方法において、
前記重要度の異なる付加情報を複数個生成し、
前記複数個の付加情報のそれぞれの電子透かし情報を形成し、
前記複数個の電子透かし情報のそれぞれ毎に分離して、前記複数個の付加情報のそれぞれの重要度に応じて面積が異なり、前記面積分連続した重畳領域を設定するようにし、
前記複数個の電子透かし情報を、対応する前記重畳領域に重畳するように合成し、
合成した前記電子透かし情報を前記画像信号に重畳する際に、いずれの重畳領域においても等しい重畳レベルで重畳することを特徴とする。
【００１３】
この請求項１に記載の付加情報重畳方法によれば、重要度の異なる複数個の付加情報を電子透かし情報として画像信号に重畳する場合に、例えば、重要度の高い付加情報を電子透かし情報として重畳する重畳領域の連続する面積が、重要度の低い付加情報を電子透かし情報として重畳する重畳領域の連続する面積よりも大きくなるように設定される。
【００１４】
これにより、付加情報を電子透かし情報として画像信号に重畳する場合に、重要度の高い付加情報ほど、検出しやすいようにして画像信号に重畳することができるようにされる。また、各電子透かし情報の重畳レベルは等しいレベルとされるので、各付加情報を電子透かし情報として重畳する各重畳領域間にレベル差が生じることもないので、電子透かし情報とされた付加情報が重畳された画像信号の再生画像が劣化することがないようにされる。
【００１５】
また、請求項２に記載の発明の付加情報重畳方法は、請求項１に記載の付加情報重畳方法であって、
重要度の異なる前記複数個の付加情報のそれぞれの電子透かし情報を、前記画像信号の１フレーム分、あるいは、１フィールド分の画面内に重畳するようにするとともに、重要度の高い付加情報の電子透かし情報を重畳する重畳領域ほど、１フレーム分、あるいは、１フィールド分の各画面内においてその連続する面積が大きくなるように設定することを特徴とする。
【００１６】
この請求項２に記載の付加情報重畳方法によれば、画像信号の１フレーム分の画面内（１フレーム内）、あるいは、１フィールド分の画面内（１フィールド内）において、重要度の高い付加情報を電子透かし情報として重畳する重畳領域の連続する面積が、重要度の低い付加情報を電子透かし情報として重畳する重畳領域の連続する面積よりも大きくなるように設定される。
【００１７】
これにより、画像信号の１フレーム分、あるいは、１フィールド分の画面内に、重要度の高い付加情報ほど検出しやすくなるようにして、重要度の異なる複数の付加情報を電子透かし情報として重畳することができるようにされる。
【００１８】
また、請求項３に記載の発明の付加情報重畳方法は、請求項１に記載の付加情報重畳方法であって、
重要度の異なる前記複数個の付加情報のそれぞれの電子透かし情報を、前記画像信号の１フレーム〜複数フレーム、あるいは、１フィールド〜複数フィールドを単位重畳領域として重畳するとともに、重要度の高い付加情報の電子透かし情報を重畳する重畳領域ほど、重畳領域を構成する連続するフレーム数、あるいは、連続するフィールド数が多くなるように設定することにより連続する面積が大きくなるようにすることを特徴とする。
【００１９】
この請求項３に記載の付加情報重畳方法によれば、画像信号に対して、重要度の高い付加情報の電子透かし情報の重畳領域ほど、重要度の低い付加情報の電子透かし情報の重畳領域よりも多くのフレーム数、あるいは、フィールド数からなるように設定される。
【００２０】
これにより、重要度高い付加情報の重畳領域ほど、その重畳領域を構成するフレーム数、あるいは、フィールド数が多くなるようにされるので、重要度の高い付加情報ほど検出しやすくなるようにして、重要度の異なる複数の付加情報を電子透かし情報として画像信号に重畳することができるようにされる。
【００２１】
また、請求項４に記載の発明の付加情報重畳方法は、請求項１、請求項２または請求項３に記載の付加情報重畳方法であって、
前記合成された電子透かし情報を前記画像信号に重畳する際、前記合成された電子透かし情報の重畳レベルを前記画像信号のダイナミックレンジより小さいレベルで重畳することを特徴とする。
【００２２】
この請求項４に記載の付加情報重畳方法によれば、電子透かし情報として画像信号に重畳される重畳領域の占める割合、例えば、１フレーム分の画面内においての重畳領域の面積や、フレーム数などが、付加情報の重要度に応じて設定される。
【００２３】
このため、重要度の高い付加情報の電子透かし情報を重要度の低い付加情報の電子透かし情報よりも検出しやすくするために、電子透かし情報とされた付加情報の重畳レベルを付加情報の重要度に応じて変える必要もなく、重要度の異なる複数の付加情報のそれぞれの電子透かし情報を、均一な重畳レベルであって、画像信号のダイナミックレンジよりも低いレベルで画像信号に重畳することができるようにされる。
【００２４】
これにより、各付加情報を電子透かし情報として重畳する各重畳領域間にレベル差が生じることもないので、電子透かし情報とされた付加情報が重畳された画像信号の再生画像が劣化することがないようにされる。
【００２５】
また、請求項５に記載の発明の付加情報検出方法は、
重要度の異なる複数個の付加情報が電子透かし情報として等しいレベルで重畳されている画像信号から、前記複数個の付加情報のそれぞれを検出する方法であって、
前記複数個の付加情報のそれぞれの電子透かし情報は、重畳領域が分離され、かつ、それぞれの重畳領域の占める連続する面積が、前記付加情報の重要度に応じて設定されており、
前記複数個の付加情報のそれぞれ毎の電子透かし情報の前記重畳領域を特定するようにし、
前記画像信号の特定した前記重畳領域のそれぞれから、重要度の異なる複数個の付加情報を検出することを特徴とする。
【００２６】
この請求項５に記載の付加情報検出方法によれば、例えば、重要度の高い付加情報を電子透かし情報として重畳する重畳領域ほど、それが占める連続する面積が大きくなるようにされている。そして、各重畳領域毎に、電子透かし情報として重畳されている付加情報が検出される。
【００２７】
これにより、画像信号に電子透かし情報として重畳されている重要度の異なる複数の付加情報のそれぞれを確実に検出することができるようにされるとともに、重要度の高い付加情報ほど確実かつ迅速に検出することができるようにされる。
【００２８】
また、請求項６に記載の発明の付加情報検出方法は、請求項５に記載の付加情報検出方法であって、
重要度の異なる前記複数個の付加情報のそれぞれの電子透かし情報は、前記画像信号の１フレーム分、あるいは、１フィールド分の画面内に重畳するようにされているとともに、前記複数個の付加情報の電子透かし情報の重畳領域のそれぞれは、重要度の高い付加情報の電子透かし情報を重畳する重畳領域ほど、１フレーム分、あるいは、１フィールド分の各画面においてその連続する面積が大きくなるように設定されており、
前記画像信号の１フレーム分、あるいは、１フィールド分の画面毎であって、前記複数個の付加情報のそれぞれの重要度に応じて設定された前記重畳領域毎に、電子透かし情報とされた付加情報を検出するようにすることを特徴とする。
【００２９】
この請求項６に記載の付加情報検出方法によれば、画像信号の１フレーム分の画面内、あるいは、１フィールド分の画面内に、重要度の異なる複数の付加情報が電子透かし情報として重畳されるが、重要度の高い付加情報を電子透かし情報として重畳する重畳領域ほど、その連続する面積が大きくなるようにされている。そして、１フレーム分の画面内の各重畳領域毎に、あるいは、１フィールド分の画面内の各重畳領域毎に、電子透かし情報として重畳されている付加情報が検出される。
【００３０】
これにより、重要度の高い付加情報の電子透かし情報を重畳する重畳領域ほど、１フレーム分、あるいは、１フィールド分の画面内での連続する面積が大きくなるようにされるので、重要度の高い付加情報ほど確実かつ迅速に検出することができるようにされる。また、画像信号の１フレーム分、あるいは、１フィールド分の画面内に電子透かし情報として重畳されている重要度の異なる複数の付加情報のそれぞれを確実に検出することができるようにされる。
【００３１】
また、請求項７に記載の発明の付加情報検出方法は、請求項５に記載の付加情報検出方法であって、
重要度の異なる前記複数個の付加情報のそれぞれの前記電子透かし情報は、前記画像信号の１フレーム〜複数フレーム、あるいは、１フィールド〜複数フィールドを単位重畳領域として重畳されているとともに、重要度の高い付加情報の電子透かし情報を重畳する重畳領域ほど、その重畳領域を構成する連続するフレーム数、あるいは、連続するフィールド数が多くなるように設定することにより連続する面積が大きくなるようにされており、
前記複数個の付加情報のそれぞれの重要度に応じてフレーム数、あるいは、フィールド数が設定された前記重畳領域毎に、電子透かし情報とされた付加情報を検出するようにすることを特徴とする。
【００３２】
この請求項７に記載の付加情報検出方法によれば、付加情報の重要度に応じて、重要度の高い付加情報ほど、付加情報が電子透かし情報として重畳される重畳領域を構成する連続するフレーム数、あるいは、連続するフィールド数が多くなるようにされている。そして、各重畳領域毎に、電子透かし情報として重畳されている付加情報が検出される。
【００３３】
これにより、重要度の高い付加情報が電子透かし情報として重畳されている重畳領域ほど、その重畳領域を構成する連続するフレーム数、あるいは、連続するフィールド数が多くなるようにされるので、重要度の高い付加情報ほど確実かつ迅速に検出することができるようにされる。また、電子透かし情報として重畳されている重要度の異なる複数の付加情報のそれぞれを確実に検出することができるようにされる。
【００３４】
【発明の実施の形態】
以下、この発明による付加情報重畳方法、付加情報検出方法、付加情報重畳装置および付加情報検出装置の一実施の形態について、図を参照しながら説明する。
【００３５】
以下に説明する実施の形態においては、この発明による付加情報重畳方法、付加情報重畳装置を、画像信号を記録したデジタルビデオディスク（以下、ＤＶＤと略称する。）を作成するいわゆるオーサリング装置に適用し、また、この発明による付加情報検出方法、付加情報検出装置を、ＤＶＤに記録された画像信号を再生し、再生した画像信号を例えばデータの書き換え可能なＤＶＤなどの他の記録媒体に複製するダビング機能を備えた記録再生装置に適用したものとして説明する。
【００３６】
ここで、オーサリング装置は、画像信号やオーディオ信号などのコンテンツ情報（情報信号）をＤＶＤに記録して提供するコンテンツ情報の提供業者側において用いられるものであり、また、ダビング機能を備えた記録再生装置は、家庭などにおいて用いられるコンシューマ用のものである。
【００３７】
また、後述もするように、オーサリング装置によりＤＶＤに記録される画像信号には、重要度の異なる複数個の付加情報が、それぞれ電子透かし情報とされて重畳される。以下に説明する実施の形態において、電子透かし情報は、ＰＮ（Ｐｓｅｕｄｏｒａｎｄｏｍ  Ｎｏｉｓｅ；擬似雑音符号）系列の符号（以下、ＰＮ符号という）を用いてスペクトラム拡散することにより形成されるスペクトラム拡散信号である。
【００３８】
なお、以下に説明する実施の形態において、オーサリング装置およびダビング機能を備えた記録再生装置は、画像信号の他、オーディオ信号をも処理することができるものであるが、説明を簡単にするため、オーディオ信号系についての説明は省略する。
【００３９】
［第１の実施の形態］
［オーサリング装置について］
図１は、この実施の形態のオーサリング装置を説明するためのブロック図である。図１に示すように、この実施の形態のオーサリング装置は、アナログ画像信号の入力端子１、Ａ／Ｄ変換部２、同期検出部３、タイミング制御部４、第１のＰＮ発生部５、第１の付加情報発生部６、第２のＰＮ発生部７、第２の付加情報発生部８、拡散部９、１０、重み付け合成部１１、レベル調整部１２、電子透かし情報重畳部（以下、ＷＭ重畳部という。ＷＭは、電子透かし情報の略称。）１３、データ圧縮処理部１４、暗号化部１５、記録処理部１６、コントロール部１７、キー操作部１８を備えている。記録媒体１００は、この実施の形態においては、ＤＶＤである。
【００４０】
この実施の形態のオーサリング装置において、コントロール部１７は、ＣＰＵ、ＲＯＭ、ＲＡＭなどを備えたマイクロコンピュータである。コントロール部１７は、キー操作部１８を通じて入力される使用者からの指示情報に応じて、このオーサリング装置の各部を制御することができるものである。
【００４１】
そして、この実施の形態のオーサリング装置は、重要度の異なる２つの付加情報、すなわち、重要度の高い第１の付加情報と、第１の付加情報に比べ重要度の低い第２の付加情報とのそれぞれをＤＶＤ１００に記録する画像信号の１フレーム分の画面内（１フレーム内）に完結するように電子透かし情報として重畳するように構成されている。まず、この実施の形態において、画像信号に重畳するようにされる重要度の異なる２つの付加情報について説明する。
【００４２】
図２は、図１に示したオーサリング装置により、ＤＶＤ１００に記録する画像信号に、電子透かし情報として重畳する重要度の異なる第１の付加情報と第２の付加情報とを説明するための図である。
【００４３】
この実施の形態においては、図２Ａに示すように、重要度の高い第１の付加情報は、複製制御に関する情報である。この複製制御に関する情報は、画像信号の複製制御のための情報であり、複製実行時には確実かつ迅速に複製対象の画像信号から検出することが要求されるものである。また、第１の付加情報に比べ重要度の低い第２の付加情報は、著作権情報などのいわゆるアディショナルデータと呼ばれるものである。このアディショナルデータは、必要な場合にだけ検出することができればよいものである。
【００４４】
これら複製制御に関する情報と、アディショナルデータとは、この実施の形態においては、いづれも４ビットの情報であるが、複製制御に関する情報は、図２Ａに示すように、主にデジタル画像信号についての複製世代制限制御を行うための複製制限情報と、アナログ画像信号についての複製を防止するためのＡＰＳ（アナログ・プロテクション・システム）情報とからなっている。
【００４５】
この実施の形態において、複製制御情報は、前述もしたように、▲１▼「複製可能（Ｃｏｐｙ  Ｆｒｅｅ）」、▲２▼「１回複製可能（１世代だけ複製可能）（Ｃｏｐｙ  Ｏｎｃｅ）」、▲３▼「これ以上の複製禁止（Ｎｏ  Ｍｏｒｅ  Ｃｏｐｙ）」、▲４▼「絶対複製禁止（Ｎｅｖｅｒ  Ｃｏｐｙ）」の４状態のいづれかを示すものであり、この実施の形態においては、以下のように２ビットで示される。
【００４６】
この実施の形態においては、
［００］…▲１▼「複製可能（Ｃｏｐｙ  Ｆｒｅｅ）」
［１０］…▲２▼「１回複製可能（Ｃｏｐｙ  Ｏｎｃｅ）」
［０１］…▲３▼「これ以上の複製禁止（Ｎｏ  Ｍｏｒｅ  Ｃｏｐｙ）」
［１１］…▲４▼「絶対複製禁止（Ｎｅｖｅｒ  Ｃｏｐｙ）」
とされている。
【００４７】
また、ＡＰＳ情報は、アナログ画像信号に対するＡＧＣ制御用の擬似同期パルスの挿入制御と、カラーストライプ用の反転バーストの制御を行うための情報であり、２ビットで表される。
【００４８】
このように、複製制御情報とＡＰＳ情報とをデジタル画像信号に重畳しておくことにより、デジタル画像信号がアナログ画像信号に変換されて複製するようにされても、複製されたアナログ画像信号を再生した場合には、ＡＧＣ制御用の擬似同期パルスや、カラーストライプ用の反転バーストによって、正常な再生画像を得ることができなくすることができる。つまり、複製はできても、正常な画像が再生されないために、複製したアナログ画像信号を利用することができず、画像信号の著作権者の利益が害されることがないようにすることができるようにされる。
【００４９】
なお、図２Ｂは、複製制御情報と、ＡＰＳ情報との組み合わせに対応するＡＧＣ同期パルスの挿入のオン・オフ制御、ならびに、カラーストライプ用のバースト反転制御に関する対応テーブルを示す図である。このように、この実施の形態のオーサリング装置は、重要度の高い第１の付加情報として、複製制御情報とＡＰＳ情報とからなる複製制御に関する情報を電子透かし情報として画像信号に重畳することによって、画像信号の著作権者の利益をより強固に保護することができるようにしている。
【００５０】
そして、後述もするように、図１に示すオーサリング装置において、第１の付加情報発生部６が、複製制御情報とＡＰＳ情報とからなる重要度の高い複製制御に関する情報を発生させる部分である。この第１の付加情報発生部６において発生するようにされた複製制御に関する情報が、第１のＰＮ発生部５において発生するようにされた第１のＰＮ符号を用いて、拡散部９で拡散されることにより、複製制御に関する情報の電子透かし情報（スペクトラム拡散信号）が形成される。
【００５１】
また、図１に示すオーサリング装置において、第２の付加情報発生部８が、アディショナルデータを発生させる部分である。この第２の付加情報発生部８において発生するようにされたアディショナルデータが、第２のＰＮ発生部７において発生するようにされた第２のＰＮ符号を用いて、拡散部１０で拡散されることにより、アディショナルデータの電子透かし情報（スペクトラム拡散信号）が形成される。
【００５２】
ところが、画像信号の１画面中に、複製制御に関する情報とアディショナルデータとを共に電子透かし情報として重畳領域を分離するようにして重畳した場合には、重要度の高い複製制御に関する情報が検出しにくくなり、適切に複製制御を行うまでに時間ががかるなどの不都合が生じる可能性が高くなってしまうということが考えられる。
【００５３】
このため、複製制御に関する情報の重畳レベル（埋め込み強度）をアディショナルデータの重畳レベルに比べて高くすることが考えられる。つまり、重要度が高い付加情報の電子透かし情報は、重要度の低い付加情報の電子透かし情報よりも重畳レベルを高くしてコンテンツ情報に重畳する。これにより、重要度の高い付加情報の電子透かし情報を確実かつ迅速に検出することができるようにされる。
【００５４】
しかしながら、コンテンツ情報が画像信号の場合には、付加情報の重要度に応じて重畳レベルを変えるようにすると、重要度の高い情報の電子透かし情報が重畳された画像信号部分の再生画像と、重要度の比較的に低い情報の電子透かし情報が重畳された画像信号部分の再生画像との間にレベル差が生じてしまい、その差が視聴者の目で認識できてしまうなど、再生画像の劣化を招きやすいという問題がある。
【００５５】
そこで、この実施の形態のオーサリング装置においては、重要度の高い複製制御に関する情報を電子透かし情報と、アディショナルデータの電子透かし情報とを、画像信号に対してそれぞれ分離した重畳領域に重畳する。この場合に、重要度の高い複製制御に関する情報の電子透かし情報の重畳領域が占める割合を、アディショナルデータの電子透かし情報の重畳領域が占める割合よりも大きくなるように、それぞれの重畳領域を設定する。
【００５６】
図３は、この実施の形態のオーサリング装置において、重要度の高い複製制御に関する情報の電子透かし情報を重畳する重畳領域（第１の重畳領域ＡＲ１）と、重要度の低いアディショナルデータの電子透かし情報を重畳する重畳領域（第２の重畳領域ＡＲ２）とを説明するための図である。
【００５７】
この実施の形態のオーサリング装置においては、重要度の高い複製制御に関する情報の重畳領域（第１の重畳領域ＡＲ１）の面積を、重要度の低いアディショナルデータの重畳領域（第２の重畳領域ＡＲ２）の面積よりも大きくなるように、１画面中に第１の重畳領域ＡＲ１と、第２の重畳領域ＡＲ２とを設定する用にされている。この実施の形態においては、予め、第１の重畳領域ＡＲ１の面積は、第２の重畳領域ＡＲ２の面積の２倍となるようにされている。
【００５８】
そして、画像信号の１画面（１フレーム）ＦＬ毎に、図３に示した第１の重畳領域ＡＲ１には重要度の高い複製制御に関する情報を電子透かし情報として重畳し、第２の重畳領域ＡＲ２には、アディショナルデータを電子透かし情報として重畳する。
【００５９】
このように、重要度の異なる複数の付加情報を電子透かし情報として画像信号に重畳する場合に、より重要度の高い付加情報を電子透かし情報として重畳する重畳領域の面積を、重要度の低い付加情報を電子透かし情報として重畳する重畳領域よりも大きくすることによって、画像信号に重畳された付加情報のうち、重要度の高い付加情報を確実かつ迅速に検出することができるようにしている。
【００６０】
以下、図１に示したこの実施の形態のオーサリング装置について詳細に説明する。ＤＶＤ１００に記録しようとするアナログ画像信号は、入力端子１を通じて、Ａ／Ｄ変換部２、同期検出部３に供給される。Ａ／Ｄ変換部２は、これに供給されたアナログ画像信号をデジタル画像信号に変換し、これをＷＭ重畳部１３に供給する。
【００６１】
一方、同期検出部３は、これに供給されたアナログ画像信号から、垂直同期信号Ｖ、水平同期信号Ｈを検出し、これら垂直同期信号Ｖ、水平同期信号Ｈをタイミング制御部４に供給する。タイミング制御部４は、垂直同期信号Ｖおよび水平同期信号Ｈを基準信号として用いて、ＰＮ符号リセットタイミング信号ＲＥ、第１のＰＮ発生イネーブル信号ＥＮ１、第２のＰＮ発生イネーブル信号ＥＮ２、ＰＮクロック信号ＰＮＣＬＫ、合成タイミング信号ＳＷなどの各種のタイミング信号を生成する。
【００６２】
ここで、ＰＮ符号リセットタイミング信号（以下、リセット信号という。）ＲＥは、ＰＮ符号の発生開始タイミングを示すものでる。また、第１のＰＮ発生イネーブル信号（以下、第１のイネーブル信号という。）ＥＮ１は、重要度の高い第１の付加情報としての複製制御に関する情報をスペクトラム拡散するための第１のＰＮ符号を発生させる区間を示すものである。
【００６３】
同様に、第２のＰＮ発生イネーブル信号（以下、第２のイネーブル信号という。）ＥＮ２は、第１の付加情報に比べて重要度の低い第２の付加情報としてのアディショナルデータをスペクトラム拡散するための第２のＰＮ符号を発生させる区間を示すものである。
【００６４】
また、ＰＮクロック信号ＰＮＣＬＫは、この実施の形態においては、第１および第２のＰＮ符号の１チップを発生させるタイミングを示すものであり、例えば、１画素毎に１チップのＰＮ符号を発生させるようにするものである。
【００６５】
また、合成タイミング信号ＳＷは、複製制御に関する情報の電子透かし情報と、アディショナルデータの電子透かし情報とを、図３に示したように、画像信号の１フレーム分の画面ＦＬ毎に設定するようにされた第１の重畳領域ＡＲ１と第２の重畳領域ＡＲ２とに分離して重畳可能なように合成するためのタイミングを示すものである。
【００６６】
図４は、上述のように、このオーサリング装置の各部においての処理のタイミングを制御する各種のタイミング信号を生成するタイミング制御部４を説明するためのブロック図であり、図５は、タイミング制御部４において生成される主なタイミング信号を説明するための図である。なお、図５において、図５（Ｂ）、図５（Ｄ）は共に水平同期信号Ｈを示しており、図５（Ｄ）は、図５（Ｂ）に示した水平同期信号Ｈを拡大して示したものである。
【００６７】
図４に示すように、タイミング制御部４は、ＰＮ発生タイミング信号生成部４１、ＰＬＬからなるＰＮクロック信号生成部４２、タイミング信号生成部４３を備えている。
【００６８】
ＰＮ発生タイミング信号生成部４１は、垂直同期信号Ｖを基準信号として用いて、図５（Ａ）に示すような、スペクトラム拡散に用いる拡散用のＰＮ符号列の繰り返し周期を決めるフレーム周期のリセット信号ＲＥを生成する。この例では、リセット信号ＲＥは、垂直同期信号Ｖの例えば前縁で立ち下がる１フレーム周期の信号である。
【００６９】
ＰＮ発生タイミング信号生成部４１は、また、この例の場合には、垂直同期信号Ｖ、水平同期信号Ｈを用い、第１のイネーブル信号ＥＮ１および第２のイネーブル信号ＥＮ２を生成する。
【００７０】
この例では、第１のイネーブル信号ＥＮ１は、図５（Ｅ）に示すように、水平同期信号Ｈ（図５（Ｄ）参照）の例えば前縁で立ち下がり、その水平ラインの前側３分の２の区間がローレベル、その後に続く３分の１の区間がハイレベルとなる１水平ライン周期の信号である。
【００７１】
また、第２のイネーブル信号ＥＮ２は、図５（Ｆ）に示すように、水平同期信号Ｈ（図５（Ｄ）参照）の例えば前縁で立ち上がり、その水平ラインの前側３分の２の区間がハイレベル、その後に続く３分の１の区間がローレベルとなる１水平ライン周期の信号である。
【００７２】
また、第１のイネーブル信号ＥＮ１および第２のイネーブル信号ＥＮ２を生成する場合に、ローレベルとなる区間およびハイレベルとなる区間は、水平同期信号Ｈを分周することにより、前述にように設定することができる。また、この実施の形態において、第１のイネーブル信号ＥＮ１および第２のイネーブル信号ＥＮ２は、いづれもローアクティブである。
【００７３】
したがって、後述もするように、垂直方向の各水平ライン区間においては、前側３分の２の区間では、重要度の高い複製制御に関する情報をスペクトラム拡散し、その後に続く３分の１の区間では、アディショナルデータをスペクトラム拡散することができるようにされる。
【００７４】
ＰＮクロック生成部４２は、ＰＬＬを用いて、水平同期信号Ｈに同期するＰＮクロックＰＮＣＬＫ（図５（Ｃ）参照）を生成する。また、タイミング信号生成部４３は、垂直同期信号Ｖおよび水平同期信号Ｈに基づいて、図１のオーサリング装置において用いられる各種のタイミング信号を生成する。この実施の形態においては、重要度の高い複製制御に関する情報の電子透かし情報と、アディショナルデータの電子透かし情報と合成するタイミングを示す合成タイミング信号ＳＷ（図５（Ｇ）参照）が、タイミング信号生成部４３において生成される。
【００７５】
そして、タイミング制御部４において生成された信号のうち、リセット信号ＲＥ、第１のイネーブル信号ＥＮ１、ＰＮクロック信号ＰＮＣＬＫは、第１のＰＮ発生部５に供給され、また、第１のイネーブル信号ＥＮ１、ＰＮクロック信号ＰＮＣＬＫは、第１の付加情報発生部６にも供給される。
【００７６】
また、リセット信号ＲＥ、第２のイネーブル信号ＥＮ２、ＰＮクロック信号ＰＮＣＬＫは、第２のＰＮ発生部７に供給され、また、第２のイネーブル信号ＥＮ２、ＰＮクロック信号ＰＮＣＬＫは、第２の付加情報発生部８にも供給される。さらに、合成タイミング信号ＳＷが、重み付け合成部１１に供給される。
【００７７】
この実施の形態において、第１のＰＮ発生部５、第２のＰＮ発生部７は、図示しないが、多段のシフトレジスタを備え、このシフトレジスタの適宜のタップ出力を演算する幾つかのイクスクルーシブオア回路から構成されたものであり、タイミング制御部４からのタイミング信号に基づいて、ＰＮ符号列を発生させる。
【００７８】
すなわち、第１のＰＮ発生部５は、リセット信号ＲＥと、第１のイネーブル信号ＥＮ１と、クロック信号ＰＮＣＬＫとに応じて第１のＰＮ符号列ＰＳ１を発生させる。第１のＰＮ発生部５は、リセット信号ＲＥにより、この例では、１フレーム周期でリセットされ、予め決められた符号パターンのＰＮ符号列ＰＳ１をその先頭から生成することができるようにされている。そして、第１のＰＮ発生部５は、第１のイネーブル信号ＥＮ１によりＰＮ符号発生可能状態（イネーブル状態）とされるときにのみ、クロック信号ＰＮＣＬＫに応じて、ＰＮ符号列ＰＳ１を発生させる。
【００７９】
この例の場合には、前述もしたように、第１のＰＮ発生部５は、第１のイネーブル信号ＥＮ１がローレベルのときに第１のＰＮ符号列ＰＳ１が発生可能な状態にされるので、図５（Ｅ）に示したように、１フレーム分の画面毎の垂直方向の各水平ライン区間において、水平同期信号Ｈの前縁から１水平ラインの３分の２の区間においてＰＮ符号発生状態となり、クロック信号ＰＮＣＬＫの１クロックごとに１チップの割合でＰＮ符号を発生させる。このようにして第１のＰＮ発生部５において発生させた第１のＰＮ符号列ＰＳ１が拡散部９に供給される。
【００８０】
一方、第１の付加情報発生部６は、タイミング制御部３からの第１のイネーブル信号ＥＮ１のタイミングで、クロックＰＮＣＬＫに基づいて、入力端子１を通じて入力された画像信号にスペクトラム拡散して重畳する重要度の高い第１の付加情報として、複製制御情報とＡＰＳ情報とからなる複製制御に関する情報列ＦＳ１を発生させ、拡散部９に供給する。つまり、第１の付加情報発生部６は、第１のＰＮ符号列ＰＳ１と同じタイミングで、複製制御に関する情報列ＦＳ１を形成して、これを拡散部９に供給する。
【００８１】
同様に、第２のＰＮ発生部７は、リセット信号ＲＥと、第２のイネーブル信号ＥＮ２と、クロック信号ＰＮＣＬＫとに応じて第２のＰＮ符号列ＰＳ２を発生させる。第２のＰＮ発生部５も、リセット信号ＲＥにより、１フレーム周期でリセットされ、予め決められた符号パターンのＰＮ符号列ＰＳ２をその先頭から生成する。そして、第２のＰＮ発生部７は、第２のイネーブル信号ＥＮ２によりＰＮ符号発生可能状態（イネーブル状態）とされるときにのみ、クロック信号ＰＮＣＬＫに応じて、ＰＮ符号列ＰＳ２を発生させる。
【００８２】
したがって、第２のＰＮ発生部７は、第２のイネーブル信号ＥＮ２がローレベルのときに第２のＰＮ符号列ＰＳ２が発生可能な状態にされるので、図５（Ｆ）に示したように、１画面毎の垂直方向の各水平ライン区間において、各水平ラインの後側の３分の１の区間においてＰＮ符号発生状態となり、クロック信号ＰＮＣＬＫの１クロックごとに１チップの割合でＰＮ符号を発生させる。このようにして第２のＰＮ発生部７において発生させた第２のＰＮ符号列ＰＳ２が拡散部１０に供給される。
【００８３】
また、第２の付加情報発生部８は、タイミング制御部３からの第２のイネーブル信号ＥＮ２のタイミングで、クロックＰＮＣＬＫに基づいて、入力端子１を通じて入力された画像信号にスペクトラム拡散して重畳するアディショナルデータ列ＦＳ２を発生させ、拡散部１０に供給する。つまり、第２の付加情報発生部８は、第２のＰＮ符号列ＰＳ２と同じタイミングで、アディショナルデータ列ＦＳ２を形成して、これを拡散部１０に供給する。
【００８４】
なお、この実施の形態のオーサリング装置の場合には、第１の付加情報発生部６において発生させる複製制御に関する情報や、第２の付加情報発生部８において発生させるアディショナルデータは、キー操作部１８を通じて使用者が指示することができるようにされている。
【００８５】
つまり、キー操作部１８を通じて使用者が、画像信号に電子透かし情報として重畳する複製制御に関する情報や、アディショナルデータを指定すると、コントロール部１７は、指定された情報を発生させるように、第１の付加情報発生部６、第２の付加情報発生部８を制御することができるようにされている。
【００８６】
拡散部９は、複製制御に関する情報列ＦＳ１を第１のＰＮ符号列ＰＳ１でスペクトラム拡散し、複製制御に関する情報の電子透かし情報ＳＳ１を形成し、これを重み付け合成部１１に供給する。同様に、拡散部１０は、アディショナルデータ列ＦＳ２を第２のＰＮ符号列ＰＳ２でスペクトラム拡散し、アディショナルデータの電子透かし情報ＳＳ２を形成し、これを重み付け合成部１１に供給する。
【００８７】
重み付け合成部１１は、電子透かし情報合成手段としての機能を有しており、タイミング制御部４からの合成タイミング信号ＳＷに基づいて、複製制御に関する情報の電子透かし情報ＳＳ１と、アディショナルデータの電子透かし情報ＳＳ２とを合成し、入力端子１を通じて入力された画像信号に重畳する電子透かし情報の合成信号（図５（Ｈ）参照）を形成する。
【００８８】
この実施の形態において、重み付け合成部１１は、垂直方向の各水平ライン区間において、図５（Ｇ）に示した合成タイミング信号ＳＷがレーレベルの区間では、複製制御に関する情報の電子透かし情報ＳＳ１を出力し、合成タイミング信号ＳＷがハイレベルの区間ではアディショナルデータの電子透かし情報ＳＳ２を出力することにより、図５（Ｈ）に示すように、複製制御に関する情報の電子透かし情報ＳＳ１と、アディショナルデータの電子透かし情報ＳＳ２とを合成した合成信号を形成する。この合成信号は、レベル調整部１２に供給される。
【００８９】
レベル調整部１２は、電子透かし情報の合成信号を画像信号に重畳することにより、当該画像信号により再生される画像が劣化しないように、電子透かし情報の合成信号の重畳レベルを調整する。この実施の形態において、レベル調整部１２は、電子透かし情報の合成信号を、画像信号のダイナミックレンジより小さいレベルで重畳するように、重畳レベルを調整する。
【００９０】
この場合、電子透かし情報の合成信号は、前述したように、複製制御に関する情報の電子透かし情報ＳＳ１と、アディショナルデータの電子透かし情報ＳＳ２とが合成されたものであるが、そのそれぞれの電子透かし情報ＳＳ１、ＳＳ２を重畳領域を分離し、同じ重畳レベルで画像信号に重畳することができるようにされている。レベル調整部１２からのレベル調整された合成信号は、ＷＭ重畳部１３に供給される。
【００９１】
ＷＭ重畳部１３は、レベル調整部１２を通じて供給された電子透かし情報の合成信号を入力端子１から供給された画像信号に重畳する。ＷＭ重畳部１３において電子透かし情報が重畳された画像信号は、データ圧縮処理部１４に供給される。
【００９２】
データ圧縮処理部１４は、これに供給された電子透かし情報が重畳されている画像信号を、ＭＰＥＧ方式でデータ圧縮する。データ圧縮された画像信号は、暗号化部１５に供給される。この実施の形態においては、暗号化部１５は、画像信号にＣＳＳ（Ｃｏｎｔｅｎｔｓ  Ｓｃｒａｍｂｌｅ  Ｓｙｓｔｅｍ）方式の暗号化処理を施す。ＣＳＳ方式の暗号化処理は、ＤＶＤなどのディスク媒体に画像信号などの情報信号を記録して提供する場合などにおいて、情報信号に対して施される暗号化処理方式である。
【００９３】
暗号化部１５において、暗号化処理が施された画像信号は、記録処理部１６に供給される。記録処理部１６は、供給された画像信号に対し、ＤＶＤ１００に記録するための調整処理などを行って、画像信号をＤＶＤ１００に記録する。
【００９４】
これにより、重要度の高い複製制御に関する情報（４ビット）と、複製制御に関する情報よりは重要度の低いアディショナルデータ（４ビット）とが電子透かし情報として重畳された画像信号がＤＶＤ１００に記録される。
【００９５】
この場合、図３を用いて前述したように、重要度の高い複製制御に関する情報の電子透かし情報ＳＳ１の重畳領域の面積は、アディショナルデータの電子透かし情報ＳＳ２の重畳領域よりも大きくなるようにされる。このように、付加情報の重要度に応じて、各付加情報が電子透かし情報として重畳される重畳領域の面積が設定されるが、複製制御に関する情報の電子透かし情報ＳＳ１およびアディショナルデータの電子透かし情報ＳＳ２は、いづれの電子透かし情報も、画像信号に対して同じ重畳レベルで重畳される。
【００９６】
図６は、電子透かし情報として画像信号に重畳される例えば複製制御に関する情報やアディショナルデータなどの付加情報と、画像信号などの情報信号との関係をスペクトルで示したものである。複製制御に関する情報やアディショナルデータなどの付加情報は、これに含まれる情報量は少なく、低ビットレートの信号であり、図６（ａ）に示されるように狭帯域の信号である。これにスペクトラム拡散を施すと、図６（ｂ）に示すような広帯域幅の信号となる。このときに、スペクトラム拡散信号レベルは帯域の拡大比に反比例して小さくなる。
【００９７】
このスペクトラム拡散信号、すなわち、電子透かし情報を、ＷＭ重畳部１３で画像信号に重畳させるのであるが、この場合に、図６（ｃ）に示すように、情報信号としての画像信号のダイナミックレンジより小さいレベルで、電子透かし情報を重畳させるようにする。このように重畳することにより情報信号の劣化がほとんど生じないようにすることができる。したがって、上述したように、電子透かし情報が重畳された画像信号がモニター受像機に供給されて、画像が再生された場合に、電子透かし情報の影響はほとんどなく、良好な再生画像が得られるものである。
【００９８】
一方、後述するように、電子透かし情報を検出するために、逆スペクトラム拡散を行うと、図６（ｄ）に示すように、電子透かし情報が再び狭帯域の信号として復元される。十分な帯域拡散率を与えることにより、逆拡散後の付加情報の電力が情報信号を上回り、検出可能となる。
【００９９】
この場合、画像信号に重畳された電子透かし情報は、画像信号と同一時間、同一周波数内に重畳されるため、周波数フィルタや単純な情報の置き換えでは削除および修正が不可能である。
【０１００】
したがって、画像信号に重畳された電子透かし情報が取り除かれることがなく、その改ざんが困難であるので、電子透かし情報として画像信号に重畳されている複製制御に関する情報を用いることによて、不正な複製を確実に防止するなどのことができるようにされる。
【０１０１】
そして、前述もしたように、複数の付加情報を電子透かし情報としてその重畳レベルを変えて重畳するようにした場合には、高い重畳レベルで付加情報を重畳した画像信号部分と、低い重畳レベルで付加情報を重畳した画像信号部分とでは、その再生画像にレベル差が生じ、再生画像が劣化することがあると考えられる。しかし、この実施の形態のオーサリング装置は、重要度の異なる２つの付加情報を電子透かし情報として同じ重畳レベルで画像信号に重畳するので、電子透かし情報を画像信号に重畳することによって、その画像信号の再生画像を劣化させることがないようにすることができる。
【０１０２】
また、この実施の形態のオーサリング装置の場合には、重要度の高い第１の付加情報を電子透かし情報として重畳する重畳領域は、この第１の付加情報よりも重要度が低い付加情報の電子透かし情報を重畳する重畳領域よりもその面積が大きくなるように設定される。
【０１０３】
このため、同じ１画面中に重畳される付加情報であっても、画像信号のより広い範囲に重畳するようにされる重要度の高い付加情報の方が、重要度の低い付加情報よりも、確実かつ迅速に検出することができる。
【０１０４】
また、重要度の高い付加情報よりも、その重畳範囲が狭い重要度の低い付加情報であっても、重畳領域は予め決められるので、検出時間は、多少長くなるものの、重要度の低い付加情報についても確実に検出するようにすることができるようにされる。
【０１０５】
このように、この実施の形態のオーサリング装置は、重要度の異なる２つの付加情報を、再生画像を劣化させることなく、かつ、重要度の高い付加情報を確実かつ迅速に検出可能なようにして画像信号に重畳することができるものである。
［ダビング機能を備えた記録再生装置について］
図７は、この実施の形態の記録再生装置を説明するためのブロック図である。この実施の形態の記録再生装置は、前述もしたように、ＤＶＤに記録されている画像信号を読み出して再生すると共に、読み出した画像信号を、データの書き換え可能な記録媒体に複製するいわゆるダビング機能を有するものである。
【０１０６】
図７に示すように、この実施の形態の記録再生装置は、読み出し部２１、暗号解読部２２、ビデオデータデコード部２３、Ｄ／Ａ変換部２４、アナログ画像信号の出力端子２５、電子透かし情報デコード部（以下、ＷＭデコード部という。）２６、記録制御部２７、暗号化部２８、記録処理部２９、コントロール部３０、キー操作部３１を備えている。
【０１０７】
また、ＤＶＤ１００は、図１を用いて前述したオーサリング装置により複製制御に関する情報とアディショナルデータとが電子透かし情報として重畳された画像信号が記録されたものである。また、ディスク２００は、データの書き換え可能なものである。
【０１０８】
そして、使用者により、キー操作部３１を通じて、ダビング機能の実行が指示されると、読み出し部２１により、ＤＶＤ１００に記録されているデジタル画像信号が読み出される。読み出された画像信号は、暗号解読部２２に供給される。暗号解読部２２は、これに供給された画像信号に施されている暗号化処理を解く暗号解読処理を行い、暗号解読した画像信号を、ビデオデータデコード部２３と、ＷＭデコード部２６と、記録制御部２７とに供給する。
【０１０９】
暗号解読された画像信号は、例えば、ＭＰＥＧ方式などの予め決められた方式でデータ圧縮されているので、これを例えばディスプレイモニター装置などに供給するために、ビデオデータデコード部２３において、圧縮デコードされて、伸長される。このデコードされた画像信号は、Ｄ／Ａ変換部２４に供給されて、アナログ信号に変換された後、アナログ画像信号の出力端子２５を通じて出力され、例えばディスプレイモニター装置や記録装置に供給される。
【０１１０】
一方、ＷＭデコード部２６は、暗号解読された画像信号から、これに電子透かし情報として重畳されている複製制御に関する情報およびアディショナルデータとを検出するようにする。
【０１１１】
図８は、この実施の形態の記録再生装置のＷＭデコード部２６を説明するためのブロック図である。図８に示すように、ＷＭデコード部２６は、圧縮デコード部２６１、同期検出部２６２、タイミング制御部２６３、第１のＰＮ発生部２６４、第２のＰＮ発生部２６５、重み付け合成部２６６、逆拡散部２６７、電子透かし情報判定部（以下、ＷＭ判定部という。）２６８を備えている。
【０１１２】
前述もしたように、暗号解読された画像信号は、予め決められた方式でデータ圧縮されている。このため、ＷＭデコード部２６の圧縮デコード部２６１は、供給された画像信号を圧縮デコードし、電子透かし情報として重畳されている複製制御に関する情報などを検出することができる状態にする。この場合、圧縮デコードされた画像信号は、基準信号として用いる垂直同期信号Ｖ、水平同期信号Ｈの検出が可能なようにされている。そして、圧縮デコードされた画像信号は、同期検出部２６２、逆拡散部２６７に供給される。
【０１１３】
同期検出部２６２は、圧縮デコードされた画像信号から、基準信号として用いる垂直同期信号Ｖ、水平同期信号Ｈを検出し、これをタイミング制御部２６３に供給する。
【０１１４】
タイミング制御部２６３は、図１および図４を用いて前述したオーサリング装置のタイミング制御部４とほぼ同様に構成されたものである。この記録再生装置のタイミング制御部２６３は、画像信号に電子透かし情報を重畳するための用いた、リセット信号ＲＥ、第１のイネーブル信号ＥＮ１、第２のイネーブル信号ＥＮ２、クロック信号ＰＮＣＬＫ、合成タイミング信号ＳＷのそれぞれと同じタイミングを提供する各タイミング信号を生成する。
【０１１５】
すなわち、ＷＭデコード部２６のタイミング制御部２６３は、図１に示したオーサリング装置のタイミング制御部４と同様に、リセット信号ＲＥ（図５（Ａ）参照）、第１のイネーブル信号ＥＮ１（図５（Ｅ）参照）、第２のイネーブル信号ＥＮ２（図５（Ｆ）参照）、クロック信号ＰＮＣＬＫ（図５（Ｃ）参照）、合成タイミング信号ＳＷ（図５（Ｇ）参照）を生成するものである。
【０１１６】
そして、タイミング制御部２６３において生成されたタイミング信号のうち、リセット信号ＲＥおよびクロック信号ＰＮＣＬＫは、第１のＰＮ発生部２６４と第２のＰＮ発生部２６５に供給され、また、第１のイネーブル信号ＥＮ１は、第１のＰＮに発生部２６４に、第２のイネーブル信号ＥＮ２は、第２のＰＮ発生部２６５に供給される。また、合成タイミング信号ＳＷは、重み付け合成部２６６に供給される。
【０１１７】
第１のＰＮ発生部２６４、第２のＰＮ発生部２６５は、図１を用いて前述したオーサリング装置の第１のＰＮ発生部５、第２のＰＮ発生部７と同様に構成されたものである。
【０１１８】
そして、第１のＰＮ発生部２６４は、リセット信号ＲＥ、第１のイネーブル信号ＥＮ１、クロック信号ＰＮＣＬＫに基づいて、１フレーム毎にリセットされ、第１のイネーブル信号ＥＮ１（図５（Ｅ）参照）のローレベルの区間においてのみ第１のＰＮ符号列ＰＳ１を発生させる。つまり、画像信号に対し、複製制御に関する情報をスペクトラム拡散して重畳したときと同じタイミングで、スペクトラム拡散に用いた第１のＰＮ符号列ＰＳ１を発生させる。この第１のＰＮ符号列ＰＳ１は、重み付け合成部２６６に供給される。
【０１１９】
また、第２のＰＮ発生部２６５は、リセット信号ＲＥ、第２のイネーブル信号ＥＮ２、クロック信号ＰＮＣＬＫに基づいて、１フレーム毎にリセットされ、第２のイネーブル信号ＥＮ２（図５（Ｆ）参照）のローレベルの区間においてのみ第２のＰＮ符号列ＰＳ２を発生させる。したがって、画像信号に対し、アディショナルデータをスペクトラム拡散して重畳したときと同じタイミングで、スペクトラム拡散に用いた第２のＰＮ符号列ＰＳ２を発生させる。この第２のＰＮ符号列ＰＳ２も重み付け合成部２６６に供給される。
【０１２０】
重み付け合成部２６６は、タイミング制御部２６３からの合成タイミング信号（図５（Ｇ））に基づいて、この合成タイミング信号ＳＷのローレベルの区間においては、第１のＰＮ発生部２６４からの第１のＰＮ符号列ＰＳ１を出力し、また、合成タイミング信号ＳＷのハイレベルの区間においては、第２のＰＮ発生部２６５からの第２のＰＮ符号列ＰＳ２を出力する。
【０１２１】
これにより、複製制御に関する情報のスペクトラム拡散に用いた第１のＰＮ符号列ＰＳ１と、アディショナルデータのスペクトラム拡散に用いた第２のＰＮ符号列ＰＳ２とが、圧縮デコードされた画像信号に対して、スペクトラム拡散時と同じタイミングで逆拡散部２６７に供給される。
【０１２２】
逆拡散部２６７は、重み付け合成部２６６からの第１のＰＮ符号列ＰＳ１と、第２のＰＮ符号列ＰＳ２とが合成されたＰＮ符号列を用いて、画像信号の１フレーム分の画面ＦＬ毎に、図３に示したように重畳領域が分離されて重畳されている複製制御に関する情報列ＦＳ１と、アディショナルデータ列ＦＳ２とを抽出し、これをＷＭ判定部２６８に供給する。
【０１２３】
ＷＭ判定部２６８は、逆拡散部２６７の抽出出力から、４ビットの複製制御に関する情報はどのような情報であり、４ビットのアディショナルデータはどうのうな情報であるかを判定し、その判定結果をコントロール部３０に供給する。
【０１２４】
この場合、図３に示したように、電子透かし情報とされた複製制御に関する情報の重畳領域ＡＲ１の方が、電子透かし情報とされたアディショナルデータの重畳領域ＡＲ２よりもその面積は大きい。このため、複製制御に関する情報の方が、アディショナルデータよりも、正確かつ迅速に検出される。もちろん、アディショナルデータについても、複製制御に関する情報よりは、多少時間がかかるものの、正確に検出することができる。
【０１２５】
これにより、コントロール部３０は、正確かつ迅速に複製制御に関する情報を得ることができる。そして、コントロール部３０は、ＷＭデコード２６からの複製制御に関する情報に基づいて、ＤＶＤ１００から読み出された画像信号は、複製が許可されたものか、あるいは、禁止されたものかを判別し、この判別結果に基づいて、記録制御部２７を制御する。
【０１２６】
つまり、コントロール部３０は、ＤＶＤ１００から読み出された画像信号に重畳されている４ビットの複製制限のための情報のうち、２ビットの複製制御情報が、複製禁止を示しているものであるときには、複製を禁止する制御信号を形成し、また、２ビットの複製制御情報が、複製自由、あるいは、１回複製可（１世代の複製可可能）であるときには、複製を許可する制御信号を形成する。このようにして形成された制御信号が、記録制御部２７に供給される。
【０１２７】
記録制御部２７は、コントロール部３０からの制御信号が、記録禁止を示すものであるときには、暗号解読部２２からの画像信号を暗号化部２８へは供給しないようにする。逆に、コントロール部３０からの制御信号が、記録を許可することを示すものであるときには、記録制御部２７は、暗号解読部２２からの画像信号を暗号化部２８へ供給するようにする。
【０１２８】
暗号化部２８は、複製が許可された画像信号の供給を受けて、この画像信号に対して、予め決められた方式の暗号化処理を施す。この暗号化処理部２８において暗号化処理された画像信号は、記録処理部２９に供給される。記録処理部２９は、暗号化された画像信号をディスク２００に記録するようにする処理を行う。
【０１２９】
このようにして、ＤＶＤ１００に記録されている画像信号には、複製制御に関する情報と、アディショナルデータとが電子透かし情報として重畳されているが、重要度の高い複製制御に関する情報は、アディショナルデータよりも面積の大きな第１の重畳領域ＡＲ１に重畳されているので、複製制御に関する情報を正確かつ迅速に検出し、検出した複製制御に関する情報に基づいて、複製が可能であると判別した画像信号のみをディスク２００に複製し、複製が禁止された画像信号の複製は行わないようにすることができる。これにより、画像信号が不正に複製されることにより、画像信号の著作権者の利益が害されることを確実に防止することができるようにされる。
【０１３０】
また、アディショナルデータは、複製制御に関する情報の重畳領域よりも面積の小さな第２の重畳領域ＡＲ２に重畳されており、この第２の重畳領域ＡＲ２を対象として、アディショナルデータの検出処理を行うので、画像信号に重畳されているアディショナルデータについても確実に検出することができる。
【０１３１】
したがって、重要度の異なる２つの付加情報を画像信号の１フレーム分の各画面に、図３に示したように重畳領域を分離して重畳しても、重要度の高い付加情報が検出しにくくなることもなく、そのそれぞれを確実に検出することができる。
【０１３２】
なお、図７に示したこの実施の形態の記録再生装置は、出力端子２５通じて、アナログ画像信号を出力することもでき、このアナログ出力端子を通じて出力されたアナログ画像信号が、記録装置に供給されて複製される場合もあると考えられる。
【０１３３】
しかし、ＤＶＤ１００に記録されているデジタル画像信号には、前述したように、複製制御に関する情報が電子透かし情報として重畳されており、このデジタル画像信号に重畳されている電子透かし情報は、当該デジタル画像信号がアナログ信号に変換された場合であっても欠落することはない。
【０１３４】
したがって、アナログ画像信号の供給を受ける記録装置において、供給されたアナログ画像信号から電子透かし情報として重畳されている複製制御に関する情報を抽出し、抽出した複製制御に関する情報に基づいて、適切の複製制御を行うようにすることができる。
【０１３５】
また、ＤＶＤ１００に記録されているデジタル画像信号をアナログ画像信号として出力する場合に、デジタル画像信号に重畳されている複製制御に関する情報、すなわち、複製制御情報とＡＰＳ情報とに基づいて、図２Ｂに示したように、ＡＧＣ制御用の擬似同期パルスを挿入したり、カラーストライプ用の反転バーストの制御を行うようにすることもできる。
【０１３６】
このようにした場合には、前述もしたように、複製されたアナログ画像信号によっては、正常な再生画像を得ることができないようにすることができる。この場合には、記録装置に供給されたアナログ画像信号から、これに重畳されている複製制御に関する情報を検出するようにしなくても済む。
【０１３７】
また、この実施の形態の記録再生装置から出力したり、あるいは、ディスク２００に複製される画像信号が、１回複製可能（１世代の複製可能）な情報信号である場合には、電子透かし情報として重畳されている複製制御に関する情報を、これ以上の複製禁止を示すように、例えば、ビデオデータデコード部２３や、記録制御部２７において、あるいは、その後段で、書き換えるようにされる。
【０１３８】
この電子透かし情報の書き換えは、例えば、既に電子透かし情報として画像信号に重畳されている複製制御に関する情報を削除した後に、新な複製制御にための情報を電子透かし情報として重畳することにより行うことができる。
【０１３９】
また、新な複製制御に関する情報を既に電子透かし情報として重畳されている複製制御に関する情報とは異なるＰＮ符号列を用いてスペクトラム拡散し、これを複製制御に関する情報の重畳領域にさらに重畳するようにすることもできる。この場合には、アディショナルデータについても、既に電子透かし情報として重畳されているアディショナルデータとは異なるＰＮ符号列を用いてスペクトラム拡散し、これをアディショナルデータの重畳領域にさらに重畳するようにする。
【０１４０】
このようにすることによって、画像信号には電子透かし情報が均一に重畳されるので、複製制御に関する情報の重畳領域と、アディショナルデータの重畳領域とで、電子透かし情報が重畳されることによるレベル差が生じることもないので再生画像が見づらくなることもない。
【０１４１】
［第２の実施の形態］
この第２の実施の形態においては、重要度の高い複製制御に関する情報の重畳領域（第１の重畳領域）ＡＲ１と、複製制御に関する情報よりも重要度の低いアディショナルデータの重畳領域（第２の重畳領域）ＡＲ２とを、画像信号の１フレーム分の画面毎に、垂直方向に重畳領域を分離するようにして設定する。
【０１４２】
このように、重要度の異なる付加情報の重畳領域を、画像信号の１フレーム分の画面毎に、垂直方向に重畳領域を分離して設定する場合であっても、電子透かし情報とされた重要度の異なる付加情報を重畳した画像信号を例えばＤＶＤなどの記録媒体に記録するオーサリング装置は、図１に示したオーサリング装置と同様に構成することができる。
【０１４３】
このため、この第２の実施の形態のオーサリング装置は、図１に示したオーサリング装置と同様に構成されたものとして、図１をも参照しながら説明する。しかし、以下に説明するように、タイミング制御部４において生成する各タイミングが、この第２の実施の形態と、前述の第１の実施の形態とでは異なったものとなる。
【０１４４】
図９は、重要度の異なる２つの付加情報を、１フレーム分の画面ＦＬ毎に、垂直方向に重畳領域を分離して重畳するようにする場合の一例を説明するための図である。この第２の実施の形態においては、図９に示すように、画像信号の１フレーム分の画面（各フレーム）を垂直方向に２分割し、付加情報の重要度に応じて、重要度の高い複製制御に関する情報を１画面中の上側の３分の２の領域（第１の重畳領域）ＡＲ１に重畳し、複製制御に関する情報よりも重要度の低いアディショナルデータを１画面中の下側の３分の１の領域（第２の重畳領域）ＡＲ２に重畳する。
【０１４５】
つまり、この場合にも、第１の実施の形態の場合と同様に、重要度のより高い付加情報を電子透かし情報として重畳する重畳領域の面積を、重要度の低い付加情報を電子透かし情報として重畳する重畳領域よりも広くなるように設定する。この例の場合においても、重要度の高い複製制御に関する情報の重畳領域ＡＲ１の面積は、重要度の低いアディショナルデータの重畳領域ＡＲ２の面積の２倍となるようにされている。
【０１４６】
図１０は、図９に示したように、付加情報を電子透かし情報として重畳する重畳領域を画像信号の１フレーム分の画面ＦＬ中であって、垂直方向に分離する場合において、タイミング制御部４において生成する各タイミング信号を説明するための図である。
【０１４７】
この第２の実施の形態の場合においても、前述した第１の実施の形態の場合と同様に、重要度の高い第１の付加情報としての複製制御に関する情報と、第１の付加情報よりも重要度の低いアディショナルデータとは、画像信号の１画面中に、そのそれぞれが完結するようにして重畳される。
【０１４８】
このため、図１０（Ａ）に示すように、リセット信号ＲＥは、第１の実施の形態の場合のリセット信号ＲＥと同様に、１フレーム周期の信号であり、また、図１０（Ｃ）に示すように、クロック信号ＰＮＣＬＫは、例えば、画像信号の各画素に対応するタイミングを提供する信号である。
【０１４９】
そして、この第２の実施の形態においては、第１のイネーブル信号ＥＮ１は、垂直同期信号Ｖ、水平同期信号Ｈとに基づいて形成され、図１０（Ｄ）に示すように、垂直同期信号の前縁で立ち下がり、その１フレーム区間の前側の３分の２の区間でローレベルとなり、その後の３分の１の区間でハイレベルとなる１フレーム周期の信号である。
【０１５０】
つまり、第１のイネーブル信号ＥＮ１は、各フレームにおいて、図９に示した第１の重畳領域ＡＲ１の部分でローレベルとなり、第２の重畳領域ＡＲ２の部分でハイレベルとなるように形成される信号である。
【０１５１】
また、第２のイネーブル信号ＥＮ２は、垂直同期信号Ｖ、水平同期信号Ｈとに基づいて形成され、図１０（Ｅ）に示すように、垂直同期信号の前縁で立ち上がり、その１フレーム区間の前側の３分の２の区間でハイレベルとなり、その後の３分の１の区間でローレベルとなる１フレーム周期の信号である。
【０１５２】
つまり、第２のイネーブル信号は、第１のイネーブル信号ＥＮ１とは逆に、各フレームにおいて、図９に示した第１の重畳領域ＡＲ１の部分でハイレベルとなり、第２の重畳領域ＡＲ２の部分でローレベルとなるように形成された信号である。
【０１５３】
この第１のイネーブル信号ＥＮ１および第２のイネーブル信号ＥＮ２を生成する場合に、ローレベルとなる区間およびハイレベルとなる区間は、水平同期信号Ｈをカウントするようにすることにより設定することができる。また、この第２の実施の形態においても、第１のイネーブル信号ＥＮ１および第２のイネーブル信号ＥＮ２は、いづれもローアクティブである。
【０１５４】
また、合成タイミング信号ＳＷは、垂直同期信号Ｖ、水平同期信号Ｈとに基づいて、第１のイネーブル信号ＥＮ１と同じように、垂直同期信号の前縁で立ち下がり、その１フレーム区間の前側の３分の２の区間でローレベルとなり、その後の３分の１の区間でハイレベルとなる１フレーム周期の信号として形成される。
【０１５５】
そして、前述した第１の実施の形態の場合と同様に、リセット信号ＲＥ、第１のイネーブル信号ＥＮ１、クロック信号ＰＮＣＬＫを用いて、第１のＰＮ発生部５において第１のＰＮ符号列ＰＳ１を発生させ、また、リセット信号ＲＥ、第２のイネーブル信号ＥＮ２、クロック信号ＰＮＣＬＫを用いて、第２のＰＮ発生部７において、第２のＰＮ符号列ＰＳ２を発生させる。
【０１５６】
また、第１のイネーブル信号ＥＮ１のタイミングで、クロック信号ＰＮＣＬＫに基づいて、第１の付加情報発生部６において複製制御に関する情報列ＦＳ１を発生させ、また、第２のイネーブル信号ＥＮ２のタイミングで、クロック信号ＰＮＣＬＫに基づいて、第２の付加情報発生部８においてアディショナルデータ列ＦＳ２を発生させる。
【０１５７】
そして、拡散部９において、複製制御に関する情報列ＦＳ１が第１のＰＮ符号列ＰＳ１によりスペクトラム拡散され、これにより形成された電子透かし情報（スペクトラム拡散信号）ＳＳ１が重み付け合成部１１に供給される。同様に、拡散部１０において、アディショナルデータ列ＦＳ２が第２のＰＮ符号列ＰＳ２によりスペクトラム拡散され、これにより形成された電子透かし情報（スペクトラム拡散信号）ＳＳ２が重み付け合成部１１に供給される。
【０１５８】
重み付け合成部１１は、合成タイミング信号ＳＷに基づいて、合成タイミング信号ＳＷがローレベルの区間では複製制御に関する情報の電子透かし情報ＳＳ１を出力し、合成タイミング信号ＳＷがハイレベルの区間では、アディショナルデータの電子透かし情報ＳＳ２を出力することにより、複製制御に関する情報の電子透かし情報ＳＳ１と、アディショナルデータの電子透かし情報ＳＳ２とを重畳領域を分離するように合成して出力する。
【０１５９】
この重み付け合成部１１からの合成出力が、ＷＭ重畳１３において、Ａ／Ｄ変換部２においてデジタル信号に変換された画像信号に重畳される。この場合には、図９に示したように、各画面の上側３分の２の第１の重畳領域ＡＲ１には、複製制御に関する情報の電子透かし情報ＳＳ１が重畳され、各画面の下側３分の１の第２の重畳領域ＡＲ２には、アディショナルデータの電子透かし情報ＳＳ２が重畳される。この場合、電子透かし情報ＳＳ１、電子透かし情報ＳＳ２のそれぞれは、同じ重畳レベルで画像信号に重畳される。
【０１６０】
したがって、第１の実施の形態のオーサリング装置の場合と同様に、重要度の異なる２つの付加情報を電子透かし情報として同じ重畳レベルで画像信号に重畳するので、電子透かし情報を画像信号に重畳することによって、その画像信号の再生画像を劣化させることがないようにすることができる。
【０１６１】
また、この第２の実施の形態のオーサリング装置においても、第１の実施の形態のオーサリング装置の場合と同様に、複製制御に関する情報を電子透かし情報として重畳する重畳領域ＡＲ１は、アディショナルデータを電子透かし情報として重畳する重畳領域ＡＲ２よりもその面積が大きくなるように設定される。
【０１６２】
このため、同じ１画面中に重畳される付加情報であっても、画像信号のより広い範囲に重畳するようにされる重要度の高い付加情報の方が、重要度の低い付加情報よりも、確実かつ迅速に検出することができる。
【０１６３】
また、重要度の高い付加情報よりも、その重畳範囲が狭い重要度の低い付加情報であっても、重畳領域は予め決められるので、検出時間は、多少長くなるものの、重要度の低い付加情報についても確実に検出するようにすることができるようにされる。
【０１６４】
このように、この第２の実施の形態のオーサリング装置の場合においても、重要度の異なる２つの付加情報を、再生画像を劣化させることなく、かつ、重要度の高い付加情報を確実かつ迅速に検出可能なようにして画像信号に重畳することができる。
【０１６５】
なお、上述のように、重要度の異なる付加情報を電子透かし情報として、画像信号の１フレーム分の画面中であって、垂直方向に分離した重畳領域に重畳するようにした場合であっても、電子透かし情報をスペクトラム拡散しているＰＮ符号列と同じＰＮ符号列を、画像信号に対して同じタイミングで発生させて逆拡散することにより、画像信号に重畳されている付加情報を検出することができる。
【０１６６】
すなわち、画像信号に重畳されている電子透かし情報を検出するＷＭデコード部は、図８を用いて前述したＷＭデコード部２６と同様に構成することができる。そして、この第２の実施の形態の場合には、ＷＭデコード部２６のタイミング制御部２６３において、図１０に示したように、リセット信号ＲＥ、第１のイネーブル信号ＥＮ１、第２のイネーブル信号ＥＮ２、クロック信号ＰＮＣＬＫを発生させる。
【０１６７】
そして、タイミング制御部２６３において発生させた各タイミング信号を用いて、第１のＰＮ符号列ＰＳ１、第２のＰＮ符号列ＰＳ２を発生させて逆拡散を行うことにより、画像信号の各画面の垂直方向に分離した重畳領域に電子透かし情報として重畳されている付加情報を検出することができる。したがって、図７、図８を用いて前述した第１の実施の形態の記録再生装置は、ＷＭデコード部２６のタイミング制御部２６３で生成するタイミング信号を変更するようにすることにより、この第２の実施の形態においても用いることができる。
【０１６８】
［第３の実施の形態］
この第３の実施の形態においては、重要度の高い複製制御に関する情報と、複製制御に関する情報よりも重要度の低いアディショナルデータとを、電子透かし情報としてそれぞれ別のフレームに、各フレーム毎に完結するようにして重畳するが、付加情報の重要度に応じて、重畳領域として割り当てるフレーム数を異なるようにする。
【０１６９】
つまり、画像信号の１フレーム毎に、重要度の高い複製制御に関する情報の電子透かし情報、または、複製制御に関する情報よりも重要度の低いアディショナルデータの電子透かし情報を重畳するが、重要度の高い複製制御に関する情報の電子透かし情報が重畳されるフレームが、アディショナルデータの電子透かし情報が重畳されるフレームよりも多くなるように設定する。
【０１７０】
このようにした場合であっても、電子透かし情報とされた重要度の異なる付加情報を重畳した画像信号を例えばＤＶＤなどの記録媒体に記録するオーサリング装置は、前述した第１、第２に実施の形態の場合と同様に、図１に示したオーサリング装置と同様に構成することができる。このため、この第３の実施の形態のオーサリング装置は、図１に示したオーサリング装置と同様に構成されたものとして、図１をも参照しながら説明する。
【０１７１】
しかし、以下に説明するように、タイミング制御部４において生成する各タイミングが、この第３の実施の形態と、前述の第１の実施の形態とでは異なったものとなる。
【０１７２】
図１１は、重要度の異なる２つの付加情報のそれぞれを、異なるフレームに重畳するようにする場合の一例を説明するための図である。図１１において、フレームＡＦは、複製制御に関する情報が電子透かし情報として重畳されるフレームを示し、フレームＢＦは、アディショナルデータが電子透かし情報として重畳されるフレームを示している。
【０１７３】
すなわち、この第３の実施の形態においては、図１１に示すように、複製制御に関する情報は、１フレームおきの連続する２フレームに重畳するようにされ、アディショナルデータの電子透かし情報は、２フレームおきの１フレームに重畳するようにされる。
【０１７４】
図１２は、図１１に示したように、１フレームおきの連続する２フレームには複製制御に関する情報の電子透かし情報を重畳し、２フレームおきの１フレームにはアディショナルデータの電子透かし情報を重畳するようにする場合において、オーサリング装置のタイミング制御部４において生成する各タイミング信号を説明するための図である。
【０１７５】
この第３の実施の形態の場合においては、重要度の高い第１の付加情報としての複製制御に関する情報と、第１の付加情報よりも重要度の低いアディショナルデータとは、画像信号の１フレーム毎に完結するようにして重畳される。
【０１７６】
このため、図１２（Ａ）に示すように、リセット信号ＲＥは、第１、第２の実施の形態の場合のリセット信号ＲＥと同様に、１フレーム周期の信号であり、また、図１２（Ｃ）に示すように、クロック信号ＰＮＣＬＫは、例えば、画像信号の各画素に対応するタイミングを提供する信号である。
【０１７７】
そして、この第３の実施の形態においては、第１のイネーブル信号ＥＮ１は、垂直同期信号Ｖに基づいて形成され、図１０（Ｄ）に示すように、垂直同期信号の前縁で立ち下がり、その後の２フレーム分の区間でローレベルとなり、次の１フレーム分の区間でハイレベルとなる３フレーム周期の信号である。
【０１７８】
つまり、第１のイネーブル信号ＥＮ１は、図１１に示したフレームＡＦの部分ではローレベルとなり、フレームＢＦの部分ではハイレベルとなるように形成される信号である。
【０１７９】
また、第２のイネーブル信号ＥＮ２は、垂直同期信号Ｖに基づいて形成され、図１２（Ｅ）に示すように、垂直同期信号の前縁で立ち上がり、２フレーム分の区間でハイレベルとなり、次の１フレーム分の区間でローレベルとなる３フレーム周期の信号である。
【０１８０】
つまり、第２のイネーブル信号は、第１のイネーブル信号ＥＮ１とは逆に、図１１に示したフレームＡＦの部分ではハイレベルとなり、フレームＢＦの部分ではローレベルとなるように形成される信号である。
【０１８１】
この第１のイネーブル信号ＥＮ１および第２のイネーブル信号ＥＮ２を生成する場合に、ローレベルとなる区間およびハイレベルとなる区間は、垂直同期信号Ｖをカウントするようにすることにより設定することができる。また、この第３の実施の形態においても、第１のイネーブル信号ＥＮ１および第２のイネーブル信号ＥＮ２は、いづれもローアクティブである。
【０１８２】
また、合成タイミング信号ＳＷは、図１２（Ｆ）に示すように、第１のイネーブル信号ＥＮ１と同じように、垂直同期信号Ｖに基づいて、垂直同期信号の前縁で立ち下がり、その後の２フレーム分の区間でローレベルとなり、次の１フレーム分の区間でハイレベルとなる３フレーム周期の信号として形成される。
【０１８３】
そして、前述した第１、第２の実施の形態の場合と同様に、リセット信号ＲＥ、第１のイネーブル信号ＥＮ１、クロック信号ＰＮＣＬＫを用いて、第１のＰＮ発生部５において発生するようにされたＰＮ符号列ＰＳ１が逆拡散部９に供給され、また、リセット信号ＲＥ、第２のイネーブル信号ＥＮ２、クロック信号ＰＮＣＬＫを用いて、第２のＰＮ発生部７において発生するようにされた第２のＰＮ符号列ＰＳ２が逆拡散部１０に供給される。
【０１８４】
また、第１のイネーブル信号ＥＮ１のタイミングで、クロック信号ＰＮＣＬＫに基づいて、第１の付加情報発生部６において発生するようにされた複製制御に関する情報列ＦＳ１が、拡散部９に供給され、また、第２のイネーブル信号ＥＮ２のタイミングで、クロック信号ＰＮＣＬＫに基づいて、第２の付加情報発生部８において発生するようにされたアディショナルデータ列ＦＳ２が拡散部１０に供給される。
【０１８５】
そして、前述もしたように、拡散部９、拡散部１０において、スペクトラム拡散が行われ、拡散部９からは、複製制御に関する情報の電子透かし情報ＳＳ１が重み付け合成部１１に供給され、拡散部１０からは、アディショナルデータの電子透かし情報ＳＳ２が重み付け合成部１１に供給される。
【０１８６】
重み付け合成部１１は、合成タイミング信号ＳＷに基づいて、合成タイミング信号ＳＷがローレベルの区間では複製制御に関する情報の電子透かし情報ＳＳ１を出力し、合成タイミング信号ＳＷがハイレベルの区間では、アディショナルデータの電子透かし情報ＳＳ２を出力する。
【０１８７】
この重み付け合成部１１からの合成出力が、ＷＭ重畳１３において、Ａ／Ｄ変換部２においてデジタル信号に変換された画像信号に重畳される。この場合には、図１１に示し、また、図１２（Ｇ）にも示すように、１フレームおきの連続する２フレームには、複製制御に関する情報の電子透かし情報ＳＳ１が１フレーム毎に完結するように重畳され、複製制御に関する情報の電子透かし情報ＳＳ１が重畳された２フレームおきの１フレームには、アディショナルデータの電子透かし情報ＳＳ２が重畳される。この場合においても、電子透かし情報ＳＳ１、電子透かし情報ＳＳ２のそれぞれは、同じ重畳レベルで画像信号に重畳される。
【０１８８】
したがって、第１、第２の実施の形態のオーサリング装置の場合と同様に、重要度の異なる２つの付加情報を電子透かし情報として同じ重畳レベルで画像信号に重畳するので、電子透かし情報を画像信号に重畳することによって、その画像信号の再生画像を劣化させることがないようにすることができる。
【０１８９】
また、この第３の実施の形態のオーサリング装置においても、第１、第２の実施の形態のオーサリング装置の場合と同様に、複製制御に関する情報を電子透かし情報として重畳する重畳領域は、アディショナルデータを電子透かし情報として重畳する重畳領域よりもその占める割合が大きい。
【０１９０】
このため、画像信号のより広い範囲に重畳するようにされる重要度の高い付加情報の方が、重要度の低い付加情報よりも、確実かつ迅速に検出することができる。
【０１９１】
また、重要度の高い付加情報よりも、その重畳範囲が狭い重要度の低い付加情報であっても、重畳領域は予め決められるので、検出時間は、多少長くなるものの、重要度の低い付加情報についても確実に検出するようにすることができるようにされる。
【０１９２】
このように、この第３の実施の形態のオーサリング装置の場合においても、重要度の異なる２つの付加情報を、再生画像を劣化させることなく、かつ、重要度の高い付加情報を確実かつ迅速に検出可能なようにして画像信号に重畳することができる。
【０１９３】
なお、この第３の実施の形態にように、重要度の異なる複数の付加情報を電子透かし情報として、画像信号に重畳した場合であっても、画像信号に重畳されている電子透かし情報をスペクトラム拡散しているＰＮ符号列と同じＰＮ符号列を、画像信号に対して同じタイミングで発生させて逆拡散することにより、画像信号に重畳されている付加情報を検出することができる。
【０１９４】
すなわち、画像信号に重畳されている電子透かし情報を検出するＷＭデコード部は、図８を用いて前述したＷＭデコード部２６と同様に構成することができる。そして、この第３の実施の形態の場合には、ＷＭデコード部２６のタイミング制御部２６３において、図１２に示したように、リセット信号ＲＥ、第１のイネーブル信号ＥＮ１、第２のイネーブル信号ＥＮ２、クロック信号ＰＮＣＬＫ、合成タイミング信号ＳＷを発生させる。
【０１９５】
そして、タイミング制御部２６３において発生させた各タイミング信号を用いて、第１のＰＮ符号列ＰＳ１、第２のＰＮ符号列ＰＳ２を発生させて逆拡散を行うことにより、画像信号の各画面の垂直方向に分離した重畳領域に電子透かし情報として重畳されている付加情報を検出することができる。したがって、図７、図８を用いて前述した第１の実施の形態の記録再生装置は、ＷＭデコード部２６のタイミング制御部２６３で生成するタイミング信号を変更するようにすることにより、この第３の実施の形態においても用いることができる。
【０１９６】
なお、前述の実施の形態においては、画像信号の１フレームの画面内、すなわち、１フレームの画像に対して、電子透かし情報とされた複製制御に関する情報と、アディショナルデータとを重畳する様にしたが、これに限るものではない。例えば、画像信号の１フィールドの画面内、すなわち、１フィールドの画像に対して、電子透かし情報とされた複製制御に関する情報と、アディショナルデータとをそれぞれ重畳領域を分離して重畳するようにしてももちろんよい。
【０１９７】
すなわち、画像信号に重畳する付加情報は、前述したように、フレーム単位に重畳領域を分離して重畳するようにすることもできるし、フィールド単位に重畳領域を分離して重畳するようにすることももちろんできる。
【０１９８】
また、前述の実施の形態においては、重要度の異なる２つの付加情報（複製制御に関する情報とアディショナルデータ）を電子透かし情報として画像信号に重畳するようにしたが、重要度の異なる付加情報は２つに限るものではない。画像信号に重畳する重要度の異なる情報は、複数の付加情報を重畳することができる。また、各付加情報のデータ長の４ビットに限るものではなく、１ビットでもよいし、それ以上の多数ビットであってももちろんよい。
【０１９９】
例えば、重要度の異なる３つ、あるいは、４つの付加情報を電子透かし情報として画像信号に重畳する場合には、それぞれの付加情報の重要度に応じて、それぞれの付加情報を電子透かし情報として重畳する重畳領域の占める割合を設定するようにすればよい。
【０２００】
また、例えば、重要度の異なる３つの付加情報を画像信号に重畳する場合であって、そのうちの１つの付加情報の重要度が高く、他の２つの付加情報の重要度が同程度に低い場合には、重要度の高い１つの付加情報を電子透かし情報として重畳する重畳領域の占める割合を大きくし、他の２つの付加情報を重畳する重畳領域の占める割合は、同程度となるようにすることももちろんできる。
【０２０１】
また、例えば、１画面内に重要度の異なる２つの付加情報を重畳する場合に、例えば、最初の１０水平ライン区間には、重要度の高い付加情報の電子透かし情報を重畳し、次の５水平ライン区間には、重要度の低い電子透かし情報を重畳し、次の１０水平ライン区間には、また、重要度の高い付加情報の電子透かし情報を重畳するというように、重畳区間を細分化するようにしてもよい。
【０２０２】
要は、重要度の高い付加情報の電子透かし情報を重畳する重畳領域の占める割合が、重要度の低い付加情報の電子透かし情報を重畳する重畳領域の占める割合よりも大きくなるようにしておけばよい。
【０２０３】
また、前述の実施の形態においては、２つの付加情報の重畳領域の大きさは、予め決められているものとして説明したが、例えば、キー操作部を通じて、使用者が各付加情報の重畳領域の割合を指示するようにする。そして、コントロール部がタイミング制御部に対し、使用者からからの指示に応じたタイミング信号を生成するようにする制御信号を供給することにより、使用者の指示に応じた割合の重畳領域に付加情報を電子透かし情報として重畳するようにすることができる。
【０２０４】
また、前述の実施の形態において、電子透かし情報は、付加情報をＰＮ符号を用いてスペクトラム拡散することにより形成するものとしたが、スペクトラム拡散のために用いる拡散符号は、ＰＮ符号に限るものではなく、各種の拡散符号を用いることができる。
【０２０５】
また、前述の実施の形態においては、電子透かし情報は、データ圧縮前の画像信号に対して重畳するようにしたが、データ圧縮後の画像信号に重畳するようにすることももちろんできる。
【０２０６】
また、電子透かし情報は、スペクトラム拡散により形成するものに限るものではなく、各種の電子透かし技術を用いて形成するものを用いることができる。例えば、画像信号に重畳する付加情報毎に、単位電子透かし情報（単位ウォーターマーク）とよばれる予め決められた電子透かし情報を予め用意しておき、これを重畳するようにしてもよい。
【０２０７】
この単位電子透かし情報を用いる場合には、複数の付加情報のそれぞれに対応する電子透かし情報を同時に発生させ、各付加情報の重要度に応じて予め決められる重畳領域毎に、重畳する単位電子透かし情報を切り換えるようにするようにしてもよい。この場合には、付加情報に応じた各単位電子透かし情報を、例えば、前述した重み付け合成部１１において、タイミング制御部４からの合成タイミング信号ＳＷのタイミングで出力を切り換えるようにすることにより対応することができる。
【０２０８】
また、重要度の異なる付加情報の電子透かし情報を、例えば、スペクトラム拡散を用いて形成する場合であっても、付加情報の重要度に応じて設定される重畳領域に応じた電子透かし情報を発生させて保持しておくようにし、例えば、重み付け合成部において、合成タイミング信号のタイミングで重畳領域を分離するようにして合成するようにしてももちろんよい。
【０２０９】
また、前述の実施の形態においては、この発明による付加情報重畳方法、付加情報重畳装置をＤＶＤのオーサリング装置に適用し、付加情報検出方法、付加情報検出装置を記録再生装置に適用したものとして説明したが、これに限るものではない。
【０２１０】
この発明による付加情報重畳方法、付加情報重畳装置を、画像信号を放送するようにする放送局側で用いられる放送装置や、パーソナルコンピュータなどの画像信号などの情報信号の送受が可能な情報処理装置、あるいは、電子透かし情報の重畳機能を備えた画像信号の再生装置など、画像信号を出力するようにする各種の出力装置に適用することができる。
【０２１１】
また、この発明による付加情報検出方法、付加情報検出装置を、放送局からの放送信号を受信するセットトップボックスやケーブルボックスとよばれる受信装置や、各種の記録装置、記録再生装置、あるいは、パーソナルコンピュータなどの画像信号の送受が可能な情報処理装置など、画像信号の提供を受けてこれを処理する各種の装置に適用することができる。
【０２１２】
また、前述の実施の形態においては、画像信号に電子透かし情報を重畳する場合を例にして説明したが、オーディオ信号や、コンピュータデータなどに電子透かし情報を重畳する場合にも、この発明を適用することができる。
【０２１３】
【発明の効果】
以上説明したように、請求項１に記載の発明の付加情報重畳方法によれば、付加情報を電子透かし情報として画像信号に重畳する場合に、重要度の高い付加情報ほど、検出しやすいようにして画像信号に重畳することができる。また、重要度の高い付加情報の電子透かし情報を重要度の低い付加情報の電子透かし情報よりも検出しやすくするために、電子透かし情報とされた付加情報の重畳レベルを付加情報の重要度に応じて変える必要もなく、重要度の異なる複数の付加情報のそれぞれの電子透かし情報を、均一な重畳レベルで画像信号に重畳することができる。これにより、各付加情報を電子透かし情報として重畳する各重畳領域間にレベル差が生じることもないので、電子透かし情報とされた付加情報が重畳された画像信号の再生画像が劣化することがないようにすることができる。
【０２１４】
また、請求項２に記載の発明の付加情報重畳方法によれば、画像信号の１フレーム分、あるいは、１フィールド分の画面内に、重要度の高い付加情報ほど検出しやすくなるようにして、重要度の異なる複数の付加情報を電子透かし情報として重畳することができる。
【０２１５】
また、請求項３に記載の発明の付加情報重畳方法によれば、重要度高い付加情報の重畳領域ほど、その重畳領域を構成するフレーム数、あるいは、フィールド数が多くなるようにされるので、重要度の高い付加情報ほど検出しやすくなるようにして、重要度の異なる複数の付加情報を電子透かし情報として画像信号に重畳することができる。
【０２１６】
また、請求項４に記載の発明の付加情報検出方法によれば、重要度の高い付加情報の電子透かし情報を重要度の低い付加情報の電子透かし情報よりも検出しやすくするために、電子透かし情報とされた付加情報の重畳レベルを付加情報の重要度に応じて変える必要もなく、重要度の異なる複数の付加情報のそれぞれの電子透かし情報を、均一な重畳レベルであって、画像信号のダイナミックレンジよりも小さいレベルで画像信号に重畳することができる。これにより、各付加情報を電子透かし情報として重畳する各重畳領域間にレベル差が生じることもないので、電子透かし情報とされた付加情報が重畳された画像信号の再生画像が劣化することがないようにすることができる。
【０２１７】
また、請求項５に記載の発明の付加情報検出方法によれば、画像信号に電子透かし情報として重畳されている重要度の異なる複数の付加情報のそれぞれを確実に検出することができるようにされるとともに、重要度の高い付加情報ほど確実かつ迅速に検出することができる。
【０２１８】
また、請求項６に記載の発明の付加情報検出方法によれば、重要度の高い付加情報の電子透かし情報を重畳する重畳領域ほど、１フレーム分、あるいは、１フィールド分の画面内での連続する面積が大きくなるようにされるので、重要度の高い付加情報ほど確実かつ迅速に検出することができる。また、画像信号の１フレーム分、あるいは、１フィールド分の画面内に電子透かし情報として重畳されている重要度の異なる複数の付加情報のそれぞれを確実に検出することができる。
【０２１９】
また、請求項７に記載の発明の付加情報検出方法によれば、重要度の高い付加情報が電子透かし情報として重畳されている重畳領域ほど、その重畳領域を構成するフレーム数、あるいは、フィールド数が多くなるようにされるので、重要度の高い付加情報ほど確実かつ迅速に検出することができる。また、電子透かし情報として重畳されている重要度の異なる複数の付加情報のそれぞれを確実に検出することができる。
【図面の簡単な説明】
【図１】この発明による付加情報重畳方法、付加情報重畳装置の一実施の形態が適用されたオーサリング装置を説明するためのブロック図である。
【図２】図１に示したオーサリング装置において、画像信号に重畳される重要度の異なる２つの情報を説明するための図である。
【図３】図１に示したオーサリング装置において、重要度の異なる２つの付加情報を電子透かし情報として画像信号に重畳する場合の重畳領域を説明するための図である。
【図４】図１に示したオーサリング装置のタイミング制御部を説明するためのブロック図である。
【図５】タイミング制御部において生成されるタイミング信号について説明するための図である。
【図６】電子透かし情報（スペクトラム拡散信号）として画像信号に重畳される付加情報と、情報信号としての画像信号との関係を説明するための図である。
【図７】この発明による付加情報検出方法、付加情報検出装置の一実施の形態が適用された記録再生装置を説明するためのブロック図である。
【図８】図７に示した記録再生装置のＷＭデコード部を説明するためのブロック図である。
【図９】重要度の異なる２つの付加情報を電子透かし情報として画像信号に重畳する場合の重畳領域の他の例を説明するための図である。
【図１０】図１０に示した重畳領域に電子透かし情報とされた付加情報を重畳する場合、および、検出する場合に用いられるタイミング信号について説明するための図である。
【図１１】重要度の異なる２つの付加情報を電子透かし情報として画像信号に重畳する場合の重畳領域の他の例を説明するための図である。
【図１２】図１１に示した重畳領域に電子透かし情報とされた付加情報を重畳する場合、および、検出する場合に用いられるタイミング信号について説明するための図である。
【符号の説明】
１…アナログ画像信号の入力端子、２…Ａ／Ｄ変換部、３…同期検出部、４…タイミング制御部、４１…ＰＮ発生タイミング信号生成部、４２…ＰＮクロック信号生成部、４３…タイミング信号生成部、５…第１のＰＮ発生部、６…第１の付加情報発生部、７…第２のＰＮ発生部、８…第２の付加情報発生部、９、１０…拡散部、１１…重み付け合成部、１２…レベル調整部、１３…電子透かし情報重畳部（ＷＭ重畳部）、１４…データ圧縮処理部、１５…暗号化部、１６…記録処理部、１７…コントロール部、１８…キー操作部、２１…読み出し部、２２…暗号解読部、２３…ビデオデータデコード部、２４…Ｄ／Ａ変換部、２５…アナログ画像信号の出力端子、２６…電子透かし情報デコード部（ＷＭデコード部）、２６１…圧縮デコード部、２６２…同期検出部、２６３…タイミング制御部、２６４…第１のＰＮ発生部、２６５…第２のＰＮ発生部、２６６…重み付け合成部、２６７…逆拡散部、２６８…ＷＭ判定部、２７…記録制御部、２８…暗号化部、２９…記録処理部、３０…コントロール部、３１…キー操作部、１００…記録媒体（ＤＶＤ）、２００…記録媒体（ディスク）
【図１】
0003636915.tif 000002
【図２】
0003636915.tif 000003
【図３】
0003636915.tif 000004
【図４】
0003636915.tif 000005
【図５】
0003636915.tif 000006
【図６】
0003636915.tif 000007
【図７】
0003636915.tif 000008
【図８】
0003636915.tif 000009
【図９】
0003636915.tif 000010
【図１０】
0003636915.tif 000011
【図１１】
0003636915.tif 000012
【図１２】
0003636915.tif 000013